(57)【要約】【技術課題】  掲示する内容を変えたい場合、簡単に差し替えを行うことができ、さらに従来のようにラミネート加工を施さないために、焼却処分してもダイオキシン等の有害物質を発生しない情報掲示カードケースを提案する。【解決手段】  遊技場に設置された遊技具に関する情報を表示した情報掲示カード１１を収納するための収納室７を形成すると共に、この収納室７内に前記情報掲示カード１１を差し込むための差込口１０を形成して成る掲示部１と、前記掲示部１の一部に形成されたホルダー係合部２と、から成る遊技場における情報掲示カードケースを形成する。そして、このカードケースの提示部１内に情報掲示カード１１を挿入し、係合部２をホルダー１０１のカード差込口１０３に差し込んで店内掲示を行う。【選択図】        図４
2005073761.tif 000002
【特許請求の範囲】
【請求項１】
遊技場に設置された遊技具に関する情報を表示した情報掲示カードを収納するための収納室を形成すると共にこの収納室内に前記情報掲示カードを差し込むための差込口を形成して成る掲示部と、前記掲示部の一部に形成されたホルダー係合部と、から成る遊技場における情報掲示カードケース。
【請求項２】
請求項１に記載の遊技場は、パチンコ店又はパチスロ店又はスマートボール店又はゲームセンター等であって、遊技具はパチンコ台又はパチスロ台又はスマートボール台又はゲーム機であることを特徴とする情報掲示カードケース。
【請求項３】
請求項１に記載の掲示部及び係合部は、樹脂で成形されていると共に少なくとも掲示部は透明であることを特徴とする情報掲示カードケース。
【請求項４】
請求項１に記載のカードケースは、複数枚の透明なプラスチック成形板を素材とし、この一方の成形板における周縁の内側には、ボスを突設すると共に他方の成形板においては、前記ボスが嵌合する嵌合孔が形成されていて、前記ボスを前記嵌合孔内に嵌合させることにより、複数枚の成形板を一体化すると共に成形板間に情報掲示カード収納室を形成したことを特徴とする情報掲示カードケース。
【請求項５】
請求項１に記載のカードケースは、複数枚の透明なプラスチック成形板を素材とし、この一方の成形板の周縁の一部には返し部が形成され、他方の成形板の周縁の一部には、前記他方の成形板の返し部と重ならない位置に返し部が形成されていて、成形板の周縁の一部を相互に前記返し部内へ入れ込んで組合せることにより、複数枚枚の成形板を一体化すると共にこの複数枚の成形板の間に情報掲示カード収納室を形成したことを特徴とする情報掲示カードケース。
【請求項６】
請求項１に記載の情報掲示カードの収納室は、複数枚の成形板の輪郭を残し、他は切り抜いた額縁形状となっていることを特徴とする情報掲示カードケース。
【請求項７】
請求項１に記載の係合部は、掲示部の中心位置よりも下の位置に突設されていることを特徴とする情報掲示カードケース。
【請求項８】
請求項１に記載の係合部の表面には、すべり止めが施されていることを特徴とする情報掲示カードケース。
【請求項９】
請求項１に記載の係合部の上縁には、水平部が形成されていて、この水平部がホルダーの上縁に係合することにより、カードケースがホルダーから外れて落下しないように構成されていることを特徴とする情報掲示カードケース。
【請求項１０】
請求項１に記載の掲示部のカード差込口には、切欠部が設けられていて、情報掲示カードはこの切欠部に一部が露出して摘みやすい構成となっていることを特徴とする情報掲示カードケース。
【請求項１１】
請求項１に記載の掲示部のカード差込口には、拡大部が形成されていて、情報掲示カードはこの拡大部を経由して収納室内に挿入しやすい構成となっていることを特徴とする情報掲示カードケース。
【請求項１２】
請求項１に記載の掲示部における収納室内には、情報掲示カードの周縁の一部に予め形成された凹部に適合する凸部が形成されていることを特徴とする情報掲示カードケース。
【請求項１３】
請求項１に記載の情報掲示カードケースの一部には、他の情報掲示カードを引っ掛けて吊り下げるための貫通孔が形成されていることを特徴とする情報掲示カードケース。
【請求項１４】
請求項１に記載の情報掲示カードの掲示部の周囲には、彩色部が設けられていると共にこの彩色部には文字が記入されていることを特徴とする情報掲示カードケース。
【請求項１５】
請求項１に記載の情報掲示カードケースにおける収納室のカード差込口は、収納室の正面側であって、斜め上方に設けられていると共にホルダー係合部の後端には、下縁を後方に突出させた支持部が形成されていることを特徴とする情報掲示カードケース。
【発明の詳細な説明】
【技術分野】
【０００１】
本発明は、パチンコ店のような遊技場において、個々のパチンコ台或いはコーナに関する各種の情報を手軽に表示する情報掲示カードケースに関するものである。
【背景技術】
【０００２】
パチンコ、パチスロ、スマートボール、ゲーム等の遊技場において、遊技具等の機種や状態例えば「スタート」「大当たり」「ラッキー」などを掲示するために、図２２に示すような掲示シート１００が公知である。この掲示シート１００は、遊技具あるいはこの近傍に取り付けられたホルダー１０１のシート差込口１０３に係合部１０２を差し込んで掲示するものであって、遊技者への案内の目的の他に、遊技具等の状態を周囲に知らしめることにより、優越感や精神的高揚をもたらす効果を狙うことを目的としている。
このような掲示シート１００は、保形性と汚れ防止等の目的から、情報を印刷した紙の両面にプラスチックフィルムをラミネート加工した構成のものが多い。
【特許文献１】特開２００２−３４１７６６号公報  この特許文献１に掲載の発明は、各種カードや下敷き、パチンコ遊技において大当たりを含む特定状態を表示するための大当たりプレートなどのような積層板を、安価に製造でき、かつ小ロットの注文にも対応できるようにすることを目的として、文字や図形等の表示を有するシート基材に、上記表示を覆うようにオーバーレイシートを熱プレスによりラミネートして形成した薄板状の積層板であって、上記表示を無版印刷により形成したことを特徴とするものである。
【発明の開示】
【発明が解決しようとする課題】
【０００３】
しかし、特許文献１の場合、表示シートの掲示内容を変えることになった場合、このシートがラミネート加工されているため、中の印刷物のみ変えることは不可能である。そのため、不用となったシートは、廃棄するしかなく、例えばパチンコ台の入れ替え時には大量の掲示シートが廃棄物となり、この処分方法が問題となっている。これは、ラミネートフィルムはポリエステルフィルムが主原料であることから、印刷された紙とラミネートフィルムは密着していて、分別することが不可能なため、処分方法としては焼却しかない。しかし、この焼却方法を利用した場合、ダイオキシン等の有害物質が発生するため、環境負荷の面で好ましくない。また、ラミネート加工を行っているためにシート一枚のコストが高い。
本発明は、斯かる点に鑑みて提案されるものであって、その目的は、掲示する内容を変える場合、簡単に差し替えを行うことができ、さらに、従来のようにラミネート加工を施さないため、焼却処分してもダイオキシン等の有害物質を発生しない情報掲示カードケースを提案することである。
【課題を解決するための手段】
【０００４】
上記目的を達成するため、請求項１に記載の発明においては、請求項１に記載の発明において、遊技場に設置された遊技具に関する情報を表示した情報掲示カードを収納するための収納室を形成すると共にこの収納室内に前記情報掲示カードを差し込むための差込口を形成して成る掲示部と、前記掲示部の一部に形成されたホルダー係合部と、から成ることを特徴とするものである。
【０００５】
更に、請求項２に記載の発明において、請求項１に記載の遊技場は、パチンコ店又はパチスロ店又はスマートボール店又はゲームセンター等であって、遊技具はパチンコ台又はパチスロ台又はスマートボール台又はゲーム機であることを特徴とするものである。
【０００６】
更に、請求項３に記載の発明において、請求項１に記載の掲示部及び係合部は、樹脂で成形されていると共に少なくとも掲示部は透明であることを特徴とするものである。
【０００７】
更に、請求項４に記載の発明において、請求項１に記載のカードケースは、複数枚の透明なプラスチック成形板を素材とし、この一方の成形板における周縁の内側には、ボスを突設すると共に他方の成形板においては、前記ボスが嵌合する嵌合孔が形成されていて、前記ボスを前記嵌合孔内に嵌合させることにより、複数枚の成形板を一体化すると共に成形板間に情報掲示カード収納室を形成したことを特徴とするものである。
【０００８】
更に、請求項５に記載の発明において、請求項１に記載のカードケースは、複数枚の透明なプラスチック成形板を素材とし、この一方の成形板の周縁の一部には返し部が形成され、他方の成形板の周縁の一部には、前記他方の成形板の返し部と重ならない位置に返し部が形成されていて、成形板の周縁の一部を相互に前記返し部内へ入れ込んで組合せることにより、複数枚の成形板を一体化すると共にこの複数枚の成形板の間に情報掲示カード収納室を形成したことを特徴とするものである。
【０００９】
更に、請求項６に記載の発明において、請求項１に記載の情報掲示カードの収納室は、複数枚の成形板の輪郭を残し、他は切り抜いた額縁形状となっていることを特徴とするものである。
【００１０】
更に、請求項７に記載の発明において、請求項１に記載の係合部は、掲示部の中心位置よりも下の位置に突設されていることを特徴とするものである。
【００１１】
更に、請求項８に記載の発明において、請求項１に記載の係合部の表面には、すべり止めが施されていることを特徴とするものである。
【００１２】
更に、請求項９に記載の発明において、請求項１に記載の係合部の上縁には、水平部が形成されていて、この水平部がホルダーの上縁に係合することにより、カードケースがホルダーから外れて落下しないように構成されていることを特徴とするものである。
【００１３】
更に、請求項１０に記載の発明において、請求項１に記載の掲示部のカード差込口には、切欠部が設けられていて、情報掲示カードはこの切欠部に一部が露出して摘みやすい構成となっていることを特徴とするものである。
【００１４】
更に、請求項１１に記載の発明において、請求項１に記載の掲示部のカード差込口には、拡大部が形成されていて、情報掲示カードはこの拡大部を経由して収納室内に挿入しやすい構成となっていることを特徴とするものである。
【００１５】
更に、請求項１２に記載の発明において、請求項１に記載の掲示部における収納室内には、情報掲示カードの周縁の一部に予め形成された凹部に適合する凸部が形成されていることを特徴とするものである。
【００１６】
更に、請求項１３に記載の発明において、請求項１に記載の情報掲示カードケースの一部には、他の情報掲示カードを引っ掛けて吊り下げるための貫通孔が形成されていることを特徴とするものである。
【００１７】
更に、請求項１４に記載の発明において、請求項１に記載の情報掲示カードの掲示部の周囲には、彩色部が設けられていると共にこの彩色部には文字が記入されていることを特徴とするものである。
【００１８】
更に、請求項１５に記載の発明において、請求項１に記載の情報掲示カードケースにおける収納室のカード差込口は、収納室の正面側であって、斜め上方に設けられていると共にホルダー係合部の後端には、下縁を後方に突出させた支持部が形成されていることを特徴とするものである。
【００１９】
請求項１〜３に記載の情報掲示カードケースは、複数枚、例えば２枚の透明な樹脂成形板を組み合わせて一体化すると共に２枚の成形板の間に情報掲示カードが挿入できる隙間（収納室）をもつ掲示部（掲示面）を形成する。更に、この掲示部の外周の一部に係合部を設けたことにより、既設のホルダーのカード（シート）差込口にこの係合部を差し込んで用いることができる。
また、情報掲示カードケースのカード収納室の一部には、情報掲示カードを差し替えするためのカード差込口を設けたことにより、必要に応じて情報掲示カードを差し替えて交換することができる。
情報掲示カードは、パソコン等を用いて作成し、この情報掲示カードをカードケースの収納室内に挿入することにより、容易に目的の情報を掲示できる。また、独自性のあるデザインのカードを掲示したりして、店内の臨場感を向上させたりすることもできる。
【００２０】
請求項３に記載の情報掲示カードケースは、掲示部が透明なため、収納室内に収納したカードが見易いと共に汚れたり、損傷したりするのを防止できる。
請求項４に記載の情報掲示カードケースは、一方の成形板における周縁の内側の一部に複数のボスを形成し、他方の成形板には、前記ボスを嵌入するための嵌合孔を形成し、このボスと嵌合孔を向き合わせた後、ボスを嵌合孔へ嵌入することにより、接着剤や溶着などの手法ではなく、かしめで成形板同士を一体化できる。よって、カードケースを簡単に製作できる。
【００２１】
請求項５に記載の情報掲示カードケースは、複数枚例えば２枚の成形板において、夫々に返し部を形成し、この返し部内に相互の周縁の一部を入れ込んで組合せ、２枚の成形板同士を一体化することができる。よって、かしめや接着などの固定方法を用いていないため、自由に組み立て及び解体ができる。
また、２枚の成形板の周縁の内側の間に段部を形成することにより、情報掲示カードを挿入するための収納室用隙間を簡単に構成できる。
【００２２】
請求項６に記載の情報掲示カードケースは、掲示部の形状をその輪郭から適宜な幅を残して切り抜いた額縁状としたことにより、情報掲示カードケースの軽量化が図れ、万が一落下してパチンコ遊技者に当たったときの安全性を向上させることができる。また、通気性が良くなるため、経時的に掲示部内で情報掲示カードが情報掲示ケースの内側に貼り付くことを防止し、情報掲示カードが抜き差ししにくくなるのを防ぐことができる。
【００２３】
請求項７に記載の情報掲示カードケースは、ホルダーに差し込んで止めるための係合部の位置を前記掲示部の中心より下の位置になるようにズラして構成したため、曲げモーメントを軽減することができる。
例えば、図９で示す様に、掲示部の直径Ｌが１５０mm、重量が３６ｇ、掲示部の中心から保持する所までの距離Ｐを９０mmとした場合、（Ａ）に示す係合部の中心と掲示部の中心との水平位置が一致する時は、はずれ方向へ働く力Ｍは４９．５ｇである。
一方、（Ｂ）に示す係合部の中心が掲示部の中心からｈ＝２０mm下に有る場合、はずれ方向へ働く力Ｍ´は４６．９ｇである。
このことにより、図９（Ｂ）の場合、係合部の中心の位置を掲示部の中心の位置より下げることにより、はずれ方向への曲げモーメントは約９．５％低減される。
【００２４】
請求項８に記載の情報掲示カードケースは、係合部にすべり止めを設けたことにより、取付部をホルダーに取り付けた時に、接触面積の増加、あるいは摩擦の増加により挟持力が向上し、外れにくくなる。
【００２５】
請求項９に記載の情報掲示カードケースは、係合部の上縁に水平部を形成したことにより、この水平部がホルダーの上縁に上から係合するため、カードケースの係合部が重量でホルダーからずり落ちるのを防止できる。
【００２６】
請求項１０に記載の情報掲示カードケースは、情報掲示カードの収納室のカード差込口に切欠部が形成されているため、収納した情報処理カードの一部がこの切欠部から露出するため、この露出部を摘んだり、又は、指で滑り出したりすることにより、情報掲示カードの差し替えを容易に行うことができる。
なお、切欠部の場所はカード差込口の中心部や斜め方向に位置してもよく、この位置は使用状態により任意に選ぶことができる。
【００２７】
請求項１１に記載の情報掲示カードケースは、情報掲示カードを差し替えるためのカード差込口に拡大部が形成されているため、情報掲示カードの挿入を容易に行うことができる。
【００２８】
請求項１２に記載の情報掲示カードケースは、収納室内と情報掲示カードに予め形成した凹部と凸部の係合により、収納室内での情報掲示カードの位置が必然的に定まり、店内に連続的に掲示された情報掲示カードの向きを統一することができ、よって美観の向上を図ることができる。
【００２９】
請求項１３に記載の情報掲示カードケースは、その一部に他の掲示物を吊り下げるための貫通孔を形成したことにより、カードケース内の情報以外により多くの情報を提供することができる。
【００３０】
請求項１４に記載の情報掲示カードケースは、掲示部の周囲の全部または一部へ彩色を施したことにより、情報掲示カードケースの掲示内容を引き立たせる効果が得られ、遊技者へのアピール度が向上する。更に、店内が一層華やかになる効果も得られる。また、彩色部へメーカや店舗等の文字を記入することにより宣伝効果を向上させることもできる。
【００３１】
請求項１５に記載の情報掲示カードケースは、カード差込口を斜め上方に設けたことにより、情報掲示カードケースが高い位置に掲示されている場合、情報掲示カードケースをホルダーから取り外すことなく、斜め上方から情報掲示シートのみを容易に抜き差しできる。また、中の情報掲示シートが落下しにくいように、差込口を収納室の正面側において、真正面から若干上方に傾け、かつ、下部のホルダー係合部の下縁には、後方に突出した支持部を形成したことにより、情報掲示カードケースを確実に保持し、容易に落下したりするのを防止できる。
以上の作用により、情報掲示カードケースをホルダーから外す手間も省け、速やかに情報掲示カードを差し替えできる。
【発明の効果】
【００３２】
本発明は以上のように、任意の情報掲示カードを紙で作成し、これを情報掲示カードケース内に差し込んで表示する方式のため、次の効果が得られる。
１．情報の交換が自由であるばかりでなく、情報掲示カードは紙製でよく、製作    コストが安い。
２．不用となった情報掲示カードは、紙製のため、焼却処分してもダイオキシン    類の発生の心配がない。
３．既存のホルダーを用いることができるため、イニシャルコストが安い。
【発明を実施するための最良の形態】
【００３３】
本発明の情報掲示カードケースは、パチンコ遊技場等で用いられ、パチンコ台等の設置面に対してほぼ直角方向に向けて設置されるものであり、その構成は例えば２枚の透明な樹脂成形板を向かい合わせて組み合わせ、内部にカード収納室を形成し、開放口をカード差込口となし、ここから情報掲示カードを出し入れ自在にした。その結果、パチンコ店で自ら掲示内容をデザインしたりして他店との差別化を図ることができると共に、独自性のある情報掲示を可能にするものである。
また、情報掲示カードは、一般の紙を利用できるので、情報掲示カードを処分するときは焼却処分が可能であり、環境への負荷を低減できる。
次に、各図に基づいて本発明に係る情報掲示カードケースを詳しく説明する。
【実施例１】
【００３４】
実施例１では、請求項１〜４及び請求項１０に記載した発明に対応する実施例を紹介する。樹脂材料には透明なＡＢＳ樹脂を用いた。この選択理由は、透明性と落下した場合に割れにくいと云う特性からである。
図１はケース板Ａを表す図で（Ａ）は側面図、（Ｂ）は（Ａ）におけるＡ−Ａ´部断面図、図２はケース板Ｂを表す図で（Ａ）は側面図、（Ｂ）は（Ａ）におけるＢ−Ｂ´部断面図、図３は、ケース板Ａとケース板Ｂを合体させた情報掲示カードケースの完成図で、（Ａ）は上方から見た上面図、（Ｂ）は中央横断面図、図４は情報掲示カードケースをホルダーに差し込む様子を示す説明図である。
【００３５】
先ず、ケース板Ａについて図１を用いて詳細に説明すると、直径が約１５０ｍｍである円形の掲示部１と約７０×５０の長方形の係合部２とから構成されている。掲示部１の板厚は１．２mmであり、係合部２の板厚は０．８mmである。
図面における掲示部１の下半分の円周縁３には、相手方のケース板Ｂに形成された嵌合孔４へ嵌入するためのボス５が３０度間隔で７カ所形成されている。
一方のケース板Ｂについて図２を用いて説明すると、板厚が１．２mmからなる円形の掲示部１ａのみの形状である。
ケース板Ｂの下半分には０．３mm高い段部６が形成され、ケース板Ａへ組み込んだ時この段部６により空間が生じ、この空間が情報掲示カードを収納する収納室７（図３参照）として利用される。さらに、段部６にはケース板Ａに形成されたボス５が嵌入する嵌合孔４が相対する位置に形成されており、このボス５と嵌合孔４の作用でケース板ＡとＢはカシメ止めされ、一体化される。
【００３６】
さらに、ケース板Ｂの上方には半円形の切欠部９が形成されている。
以上説明したケース板Ａとケース板Ｂを情報掲示カードケースとして組み合わせる場合は、双方を向き合わせ、ケース板Ｂの嵌合孔４へケース板Ａのボス５を嵌入させると、ケース板Ａとケース板Ｂは一体になる。嵌合孔４とボス５の設置については、嵌合範囲の両端に各々１個、嵌合範囲内に１個以上の合計３個以上あることが望ましい。なお、本実施例では、ボス５の先端に段部を形成することにより、必然的にケース板ＡとＢ間に隙間が出来るように形成している。
【００３７】
図３（Ａ）及び（Ｂ）に示すように段部６の作用によりケース板Ａとケース板Ｂの間には０．３ｍｍの空間が生じ、ここに収納室７が形成される。また、段部６が無い部分については外部と収納室７が連続されるカード差込口１０となるため、収納室７へ自在に情報掲示カードを出し入れできる。
なお、ケース板ＡとＢの合わせ目であって、差込口１０におけるケース板Ａ及びケース板Ｂの端部（エッジ）に、図１６に示すように、を曲面形状あるいはカット形状から成る拡大部１８を形成することにより、情報掲示カードの挿入が円滑に行える（請求項１１）。
【００３８】
以上の様に組み合わせた情報掲示カードケースの斜視図を図４示す。この図４において、１１は情報掲示カード、１０１はホルダー、１０３は差込部である。
本実施例の情報掲示カードケースの使用方法は、パソコンなどを使用して情報掲示カード１１を作成し、これをカード差込口１０から収納室７内へ挿入する。カードケースにおいて、表裏掲示したい場合には、１枚の情報掲示カード１１の両面に印刷するか、情報掲示カードを２枚用意してお互いに見える様背中合わせに挿入する。２枚使用すると、一方の掲示のみを変えたいときに、この変えたい方だけを差し替えればよく、便利である。
情報掲示カード１１を挿入した後、図４に示すように、板状の係合部２をホルダー１０１の差込部１０３へ差し込むことにより、掲示カード１１を店内に掲示できる。
また、収納室７から情報掲示カード１１を取り出す場合は、掲示部１の切欠部９に情報掲示カード１１の一部が露出しているので、そこを摘んだり、指をかけて引き出したりすることにより、容易に取り出す事ができる。
なお、情報掲示カードケースの表面へ光触媒を塗布することにより、タバコによる汚染防止や曇り止めの効果を得ることが出来る。
【００３９】
図５は、請求項１５に記載した発明を示すもので、切欠部９を図から見て中心から６０度左側へ振った様子を表している。情報掲示カードケースをホルダー１０１の差込口１０３に差し込んだとき、切欠口９が情報掲示カードケースの端面横側にあるため、背が低い従業員でも容易に情報掲示カード１１の差し替えを行うことができる。
ホルダー係合部２の別の形状を図６に示す。このホルダー係合部２は、その下部をホルダー１０１を取り付けた壁に当接するように、下縁を後方に突出させて支持部２ａを形成した。この結果、この支持部２ａが壁１０４に当り、支点となるため、係合部２とホルダー１０１との挟持力に加えて、支持部２ａの支持力が加わり、情報掲示カードケースに曲げモーメントが大きくかかっても、水平を保ちながら安定する。
【実施例２】
【００４０】
実施例２では、請求項５に記載した発明に対応する実施例を紹介する。実施例１では、ケース板ＡとＢに設けたボス４と嵌合孔８との組合せにより情報掲示カードケースをカシメ方式で一体化したが、実施例２では、双方のケース板ＡとＢにおける周囲の一部に、返し部１２、１３を形成し、この折り返し部１２、１３内に夫々の周縁を差し入れることにより、情報掲示カードケースとして一体化する方法である。
図７〜９に基づいて説明すると、図７は実施例２におけるケース板Ａを表す図で（Ａ）は側面図、（Ｂ）は（Ａ）におけるＣ−Ｃ´部断面図、図８は実施例２におけるケース板Ｂを表す図で（Ａ）は側面図、（Ｂ）は（Ａ）におけるＤ−Ｄ´部断面図、図９はケース板Ａとケース板Ｂを返し部１２、１３を用いて組み込んだ時の断面図である。
【００４１】
図７において、ケース板Ａには約下半分に１．５ｍｍの間隔を空けて折り返し部１２を形成した。また、係合部２も実施例１同様に形成した。
一方のケース板Ｂは、図８に示す様に約上半分にケース板Ａと同様に１．５ｍｍの間隔を空けて折り返し部１３形成した。更に、折り返し部１２が形成されていない板半分の３カ所に高さが０．３mmのスペーサー１４を形成した。
以上の様に形成されたケース板Ａとケース板Ｂとの組合せ方法は、双方の平板状の端部を相手方の折り返し部１２及び１３内に差し入れる。各々の折り返し部１２、１３が１．５mm間隔を空けることにより、他方のケース板が折り返しの中に差し入れてもスペーサー１４の効果により、０．３ｍｍの空間が生じ、ここが収納室７となる。このカードケースの場合、カード差込口１０はスペーサー１４側となる。
組み合わされた情報掲示カードケースの掲示部１における断面図を図９に示す。
受ける役目の折り返し部１２をもつケース板Ａ側に係合部２が形成されているため、係合部２をホルダー１０１の差込口１０３内に差し込むことにより、情報掲示カードケースはホルダー１０１で保持される。
実施例２の情報掲示カードケースの使用方法は、一方のケース板Ａ又はＢへ情報掲示カード１１を置く。このとき、折り返し部１２、１３は設置ガイドの効果も果たす。次に、折り返し部１２、１３の作用により、ケース板Ａとケース板Ｂとを一体化する。次に、係合部２をホルダー１０１の差込口１０３へ差し込むことにより、情報を店内に知らしめることができる。
【実施例３】
【００４２】
実施例３では、請求項６に記載した発明に対応する実施例を紹介する。図１０は実施例３におけるケース板Ａの側面図である。この形状を説明すると、外形の寸法は実施例１と同様であるが、違いは、外形である輪郭から２５ｍｍである押さえ部１５を残し、他は切り抜いている。この押さえ部１５は額縁状を呈し、収納室７に挿入した情報掲示カード１１の周囲を支えることにより、収納室７に情報掲示カード１１を保持する機能を有する。一方のケース板Ｂも同様に切り抜きを行った。また、ケース板Ａとケース板Ｂの組合せは実施例１と同様に行った。
その結果、実施例１と比較すると重量は４０前後％減少し、情報掲示カードケースとホルダー１０１との保持力が向上すると共に、材料の削減にも寄与することができる。
【実施例４】
【００４３】
実施例４では、請求項７に記載した発明に対応する実施例を紹介する。実施例４は係合部２の位置を、情報掲示カードケースにおける掲示部１の中心位置よりも下の位置になるように構成することにより、はずれ方向への曲げモーメント（離脱力）が低下させることが出来る実施例である。
図１１は実施例４における情報掲示カードケースの側面図、図１２（Ａ）（Ｂ）はモーメントの説明図である。
図１２に基づいて説明すると、情報掲示カードケースにおける掲示部１の直径Ｌが１５０mm、重量が３６ｇ、掲示部１の中心から保持する所までの距離Ｐを９０mmとした場合、（Ａ）に示す係合部２の中心と掲示部１の中心との水平位置が一致する時、はずれ方向へ働く力Ｍは４９．５ｇである。
一方、（Ｂ）に示す係合部２の中心が掲示部１の中心からｈ＝２０mm下に有る場合、はずれ方向へ働く力Ｍ´は４６．９ｇである。
このことにより、本実施例の情報掲示カードケースの場合、係合部２の中心の位置を掲示部１の中心位置より下げることにより、はずれ方向への曲げモーメントは約９．５％低減することができる。
【実施例５】
【００４４】
実施例５では、請求項８に記載した発明に対応する実施例を紹介する。情報掲示カードケースにおける係合部２に縦溝１６を形成し、この縦溝１６をすべり止めとしたもので、係合部２とホルダー１０１との保持力を高める効果が得られるようにした実施例である。
図１３は係合部２とホルダー１０１の斜視図である。本実施例における係合部２の板厚は１．４mmである。前記係合部２の両側面に幅１．５mm深さ０．４mmの溝１６を３カ所形成した。したがって、ホルダー１０１の差込口１０３に形成したフック部１０４を前記溝１６の何れかに挟持させることにより、溝１６とフック部１０４とが嵌合され、これにより情報掲示カードケースとホルダー１０１との挟持力が向上する効果が得られる。
なお、上記溝１６の構成は一例であって、すべり止めとしては、凹凸、クロスした溝等でもよく、このすべり止めの手段は慣用されている公知の手段を用いることができる。
【実施例６】
【００４５】
実施例６では、請求項９に記載した発明に対応する実施例を紹介する。係合部２の上縁に水平部１７を設けることにより、落下防止を目的とする実施例である。
図１４は水平部１７付の係合部２をホルダー１０１の差込口１０３内に差し込んだ説明図、図１５は水平部１７の拡大図である。
本実施例では、係合部２の上縁にＴ字型の水平部１７を設けている。したがって、情報掲示カードケースをホルダー１０１の差込口１０３に差し込んだとき、前記水平部１７が前記ホルダー１０１の上縁に掛合され、引っかかる状態になるため、落下方向へ力がかかっても、水平部１７がストッパーとなってずり落ちるのを防止することができる。
本実施例では、水平部１７はＴ字タイプであるが、逆Ｌ字タイプでも同様な効果を得ることができる。
【実施例７】
【００４６】
実施例７では、請求項１１に記載した発明に対応する実施例を紹介する。本実施例は、情報掲示カード１１を収納室７内に容易に挿入できる効果を生む構造の実施例であって、図１６に示すように、収納室７のカード差込口１０にテーパー状の拡大部１８を形成することにより、情報掲示カード１１を容易に挿入できる。なお、テーパーではなく、曲面で拡大部１８を形成してもよい。又、このテーパーあるいは円曲はカード板Ａ又はＢの一方だけでも良い。
【実施例８】
【００４７】
本実施例は掲示部が円形の場合（図１７）、掲示部が長方形の場合（図１８）の実施例である。先ず、図１７に基づいて説明すると、カード差込口１０においてケース板Ｂを円周端面より適宜な寸法から削除するいわゆるＤカット（切削端面）１９を施した。本実施例では直径１５０ｍｍの掲示板に対し端面から３０ｍｍの寸法でカットした。一方のケース板Ａは前記切削端面１９より壁の様に突出している。
前記の構造である情報掲示カードケースへ情報カード１１を挿入する時は、ケース板Ａの壁に押し付けるようにスライドさせると、カード差込口１０へ案内されて収納室７へ容易に挿入できる。
図１８は、掲示部１が長方形で有る場合を示している。
【実施例９】
【００４８】
実施例９では、請求項１２に記載した発明に対応する実施例を紹介する。情報掲示カード１１が収納室７へ定まれた掲示方向へ収納できる効果を生む構造の実施例である。
図１９の（Ａ）は収納室７の一部に凸部２０を形成した情報掲示カードケースの説明図、（Ｂ）は前記収納室７へ挿入される情報掲示カード１１である。
図１９の（Ａ）に基づいて説明すると、実施例１におけるケース板Ｂの段部６の一部に凸部２０を形成する。本実施例では山形の凸部２０としているが３角形でも良くその形状にとらわれなくてよい。また、収納室７へ挿入される情報掲示カード１１には、図１９（Ｂ）に示すように、前記凸部２０へ掛合する凹部２１を形成しておく。
したがって、凸部２０と凹部２１が収納室７内で組み合わされることにより、情報掲示カード１１の位置決めができる。本実施例の情報掲示カードケースを使えば、情報掲示カードケースを複数枚並べた時、掲示がまちまちに傾くことがなく、統一性がとれた美観を得ることができる。
【実施例１０】
【００４９】
実施例１０では、請求項１３に記載した発明に対応する実施例を紹介する。情報掲示カードケースへ他の情報掲示物を追加できる実施例である。
図２０は掲示部１の下端面部付近に貫通孔２２を形成する。貫通孔２２の個数は必要に応じて選択する。前記貫通孔２２へ他の情報掲示物２３に設けられたフック２４を掛けることにより、情報掲示物２３を簡単に吊り下げることができる。したがって、より多くの情報を店内に掲示でき、独自の宣伝と雰囲気をつくることができる。
【実施例１１】
【００５０】
実施例１１では、請求項１４に記載した発明に対応する実施例を紹介する。掲示内容をより目立たせる仕様である。
図２１は掲示部１の周囲を印刷等にて彩色を施した説明図であって、２５は彩色を施した彩色部である。色は例えばパチンコチェーン店のイメージカラーへ統一したり、季節によって使い分けしたりすることにより店内の美観を高めることができる。
さらに、色彩部２５へパチンコ台等のメーカー名やパチンコ店のロゴを標記すること、により宣伝効果が向上する。
【図面の簡単な説明】
【００５１】
【図１】（Ａ）はケース板Ａの側面図、（Ｂ）はＡ−Ａ´線断面図。
【図２】（Ａ）はケース板Ｂの側面図、（Ｂ）はＢ−Ｂ´線断面図。
【図３】（Ａ）はケース板ＡとＢを一体化した状態の説明図、（Ｂ）は断面図。
【図４】情報掲示カードケースをホルダーへ差し込む状態の説明図。
【図５】カード差込口を斜め前方に片寄らせた状態の説明図。
【図６】係合部に支持部を形成した例の説明図。
【図７】（Ａ）はケース板Ａに形成した折返部の説明図、（Ｂ）はＣ−Ｃ´線断面図。
【図８】（Ａ）はケース板Ｂに形成した折返部の説明図、（Ｂ）はＤ−Ｄ´線断面図。
【図９】折り返し部でケース板ＡとＢを組み合わせたカードケースの説明図。
【図１０】掲示部を額縁状に形成したカードケースの説明図。
【図１１】係合部を掲示部の中心より下方に形成した例の説明図。
【図１２】（Ａ）、（Ｂ）は、曲げモーメントの比較例の説明図。
【図１３】すべり止めを形成した係合部の説明図。
【図１４】係合部に水平部を形成した説明図。
【図１５】水平部の拡大図。
【図１６】収納室のカード差込口にスロート部を形成した説明図。
【図１７】ケース板Ｂにカット部を形成した説明図。
【図１８】掲示部を長方形に形成した説明図。
【図１９】（Ａ）は収納室内に形成した凸部の説明図、（Ｂ）は情報掲示カードに形成した凹部の説明図。
【図２０】掲示部に他の掲示物を吊設する貫通孔を形成した説明図。
【図２１】掲示部の周縁に沿って彩色部を設けた例の説明図。
【図２２】従来の情報掲示シートとホルダーの説明図。
【符号の説明】
【００５２】
１  掲示部
７  収納室
１０  カード差込口
１１  情報掲示カード
１６  溝
１７  水平部
１８  拡大部
２０  凸部
２１  凹部
２２  貫通孔
【図１】
2005073761.tif 000003
【図２】
2005073761.tif 000004
【図３】
2005073761.tif 000005
【図４】
2005073761.tif 000006
【図５】
2005073761.tif 000007
【図６】
2005073761.tif 000008
【図７】
2005073761.tif 000009
【図８】
2005073761.tif 000010
【図９】
2005073761.tif 000011
【図１０】
2005073761.tif 000012
【図１１】
2005073761.tif 000013
【図１２】
2005073761.tif 000014
【図１３】
2005073761.tif 000015
【図１４】
2005073761.tif 000016
【図１５】
2005073761.tif 000017
【図１６】
2005073761.tif 000018
【図１７】
2005073761.tif 000019
【図１８】
2005073761.tif 000020
【図１９】
2005073761.tif 000021
【図２０】
2005073761.tif 000022
【図２１】
2005073761.tif 000023
【図２２】
2005073761.tif 000024